(57)【要約】【課題】洗浄対象とする太陽光パネルの構成或いは種類に限定されない、汎用性を有する太陽光パネル洗浄機を提供すること。【解決手段】太陽光パネル洗浄機１は、回転ブラシ３と、回転ブラシ３に連結され、回転ブラシ３を回転させる電動モータと、回転ブラシ３へ洗浄液６を供給する洗浄液供給装置５と、洗浄液供給装置５から回転ブラシ３へ洗浄液６を送出するための送水管７と、電動モータの電源である蓄電池８と、蓄電池８から電動モータへ送電する送電路９と、直線状に延び、内部に内部空間を有する洗浄機管２を備える。回転ブラシ３は、洗浄機管２が延びる方向に対して略平行な方向に回転する。洗浄機管２は、複数の部材からなり、先端部２ａにおいて回転ブラシ３に繋がる。さらに、洗浄機管２は、内部空間に送水管７の少なくとも一部と、送電路９の少なくとも一部とを通した状態で伸縮可能である。【選択図】図１
0003232615.tif 000002
【実用新案登録請求の範囲】
【請求項１】
太陽光パネルのパネル面を洗浄する洗浄機であって、
ブラシを前記パネル面に接触させて回転させる回転ブラシと、
前記回転ブラシに連結され、該回転ブラシを回転させる電動モータと、
前記回転ブラシへ洗浄液を供給する洗浄液供給装置と、
前記洗浄液供給装置から前記回転ブラシへ前記洗浄液を送出するための送水管と、
前記電動モータの電源である蓄電池と、
前記蓄電池から前記電動モータへ送電する送電路と、
直線状に延び、内部に内部空間を有する洗浄機管を備え、
前記洗浄液供給装置の側を上流側とし、前記回転ブラシの側を下流側とし、
前記回転ブラシは、前記洗浄機管が延びる方向に対して略平行な方向に回転し、
前記洗浄機管は、複数の部材からなり、先端部において前記回転ブラシに繋がり、さらに、前記内部空間に前記送水管の少なくとも一部と、前記送電路の少なくとも一部とを通した状態で、伸縮可能である太陽光パネル洗浄機。
【請求項２】
前記送水管は、前記回転ブラシが前記パネル面に対向する側に形成される噴出口へ前記洗浄液を供給し、
前記回転ブラシが回転することにより、前記噴出口から噴出する前記洗浄液が、前記ブラシの先端の側の全体に広がる請求項１に記載の太陽光パネル洗浄機。
【請求項３】
前記洗浄機管が延びる方向と交差する方向に、前記回転ブラシが二つ並んだ回転ブラシユニットを形成し、
前記回転ブラシユニットにおける二つの前記回転ブラシは、
互いに異なる方向であって、かつ、前記洗浄液を前記洗浄機管に沿って前記下流側から前記上流側へ送り出す方向に回転する請求項１又は２に記載の太陽光パネル洗浄機。
【考案の詳細な説明】
【技術分野】
【０００１】
本考案は、太陽光パネルのパネル面を洗浄する洗浄機に関する。
【背景技術】
【０００２】
従来から、太陽光パネルのパネル面を洗浄するための洗浄機が提案されている。例えば、特許文献1の太陽光パネル洗浄装置は、パネル面を有する太陽光パネルを複数並べて設置した太陽光パネルユニットの維持管理において、パネル面の洗浄を行う太陽光パネル洗浄装置である。太陽光パネル洗浄装置は、太陽光パネルユニット上を移動しながら太陽光パネルユニットに対する洗浄作業を行う洗浄手段を有しており、洗浄手段は、パネル面に水を供給する水供給手段６０を有している。
【０００３】
太陽光パネル洗浄装置は、太陽光パネルユニット上を走行する走行体としての走行輪と、この走行輪によって移動しながら太陽光パネルユニットに対する洗浄作業を行う洗浄手段とを有している。この太陽光パネル洗浄装置は、基礎部材と、当該基礎部材に搭載される洗浄装置本体とを有しており、この洗浄装置本体に、走行輪と洗浄手段が備えられている。
【０００４】
基礎部材は、洗浄装置本体を取り付けて太陽光パネルユニットの略水平方向に安定して移動させるものであり、太陽光パネルユニットの斜め上下方向を貫くように太陽光パネルユニット上に配設された２本のバーと、当該バーに固定されて太陽光パネルユニットの上端側面と下端側面に当接する端部材とを有している。また、端部材には、上端側面と下端側面に対向するように車輪が設けられており、バーに固定された上下の端部材の車輪で上下から太陽光パネルユニットを挟持するようになっている。
【０００５】
これらの構成によれば、基礎部材が太陽光パネルユニットに対して安定した状態で取り付けられ、車輪で略水平方向に移動させることができる。すなわち、一定の太陽光パネルユニットに対して洗浄を行うことができる。
【先行技術文献】
【特許文献】
【０００６】
【特許文献１】特開２０１８−３００５０
【考案の概要】
【考案が解決しようとする課題】
【０００７】
しかしながら、特許文献１に記載の従来例では、予め太陽光パネルユニットに２本のバーを設置しておく必要があり、対象となる太陽光パネルユニット毎に、バーを設置するという予備的な作業が必要であった。また、必ずしも全ての太陽光パネルユニットにバーを設置できるわけではなく、汎用性に乏しいという欠点があった。
【０００８】
本考案の目的は、従来の課題を解決すべくなされたものであり、洗浄対象とする太陽光パネルの構成或いは種類に限定されない、汎用性を有する太陽光パネル洗浄機を提供することにある。
【課題を解決するための手段】
【０００９】
本考案の態様に係る太陽光パネル洗浄機は、太陽光パネルのパネル面を洗浄する洗浄機であって、ブラシを前記パネル面に接触させて回転させる回転ブラシと、前記回転ブラシに連結され、該回転ブラシを回転させる電動モータと、前記回転ブラシへ洗浄液を供給する洗浄液供給装置と、前記洗浄液供給装置から前記回転ブラシへ前記洗浄液を送出するための送水管と、前記電動モータの電源である蓄電池と、前記蓄電池から前記電動モータへ送電する送電路と、直線状に延び、内部に内部空間を有する洗浄機管を備え、前記洗浄液供給装置の側を上流側とし、前記回転ブラシの側を下流側とし、前記回転ブラシは、前記洗浄機管が延びる方向に対して略平行な方向に回転し、前記洗浄機管は、複数の部材からなり、先端部において前記回転ブラシに繋がり、さらに、前記内部空間に前記送水管の少なくとも一部と、前記送電路の少なくとも一部とを通した状態で、伸縮可能である。
【００１０】
また、前記太陽光パネル洗浄機の前記送水管は、前記回転ブラシが前記パネル面に対向する側に形成される噴出口へ前記洗浄液を供給し、前記回転ブラシが回転することにより、前記噴出口から噴出する前記洗浄液が、前記ブラシの先端の側の全体に広がってもよい。
【００１１】
また、前記太陽光パネル洗浄機は、前記洗浄機管が延びる方向と交差する方向に、前記回転ブラシが二つ並んだ回転ブラシユニットを形成し、前記回転ブラシユニットにおける二つの前記回転ブラシは、互いに異なる方向であって、かつ、前記洗浄液を前記洗浄機管に沿って前記下流側から前記上流側へ送り出す方向に回転してもよい。
【考案の効果】
【００１２】
これによれば、太陽光パネル洗浄機は、洗浄機管を伸縮可能であり、回転ブラシは蓄電池から供給される電力によって回転できる。よって、洗浄対象とする太陽光パネルの構成或いは種類に限定されない、汎用性を有する太陽光パネル洗浄機を提供することができる。
【００１３】
また、洗浄液は、回転ブラシがパネル面に対向する側の噴出口から噴出してもよい。この場合、回転ブラシは、太陽光パネルのパネル面に直接洗浄液を噴出したうえでブラシ洗浄できるので、洗浄効果を高めることができる。
【００１４】
また、回転ブラシが回転ブラシユニットを形成し、それぞれの回転ブラシは互いに異なる方向であって、かつ洗浄液を洗浄機管に沿って下流側から上流側に送り出す方向に回転してもよい。この場合、傾斜して設置された太陽光パネルのパネル面に沿って、洗浄後の洗浄液を鉛直方向の下側へ流すことができるので処理が容易である。
【図面の簡単な説明】
【００１５】
【図１】第一実施形態の太陽光パネル洗浄機１ａを示す平面図である。
【図２】図１における断面Ｉ−Ｉを示す断面図であり、洗浄機管２が最も短く伸縮した状態を示す。
【図３】図１における断面Ｉ−Ｉを示す断面図であり、洗浄機管２のうち、第一管２１と第二管２２とが延びた状態を示す。
【図４】回転ブラシ３をブラシ１５の先端の側から見た図である。
【図５】洗浄機管２を最も長く伸ばした太陽光パネル洗浄機１ａを使用して、太陽光パネルのパネル面を洗浄する状態を示す図である。
【図６】洗浄機管２を最も短く縮めた太陽光パネル洗浄機１ａを使用して、太陽光パネルのパネル面を洗浄する状態を示す図である。
【図７】第二実施形態の太陽光パネル洗浄機１ｂを示す平面図である。
【考案を実施するための形態】
【００１６】
以下、図面を参照し、本考案を具現化した太陽光パネル洗浄機１（１ａ、１ｂ）を説明する。参照する図面は、本考案が採用しうる技術的特徴を説明するために用いられるものである。図面に記載されている装置の構成は、それのみに限定する趣旨ではなく、単なる説明例である。
【００１７】
まず、本考案の態様に係る太陽光パネル洗浄機１に共通の構成を説明する。図１は、太陽光パネル洗浄機１を水平面に置いたときの平面図である。図２、及び図３は、図１における断面Ｉ−Ｉの断面図であり、図示のように上下方向の上側と下側とを定義する。図１から図３までに示すように、太陽光パネル洗浄機１は、以下の構成要素を備える。ブラシ１５をパネル面５１に接触させて回転させる回転ブラシ３と、回転ブラシ３に連結され、回転ブラシ３を回転させる電動モータ４を備える。回転ブラシ３へ洗浄液６を供給する洗浄液供給装置５と、洗浄液供給装置５から回転ブラシ３へ洗浄液６を送出するための送水管７を備える。電動モータ４の電源である蓄電池８と、蓄電池８から電動モータ４へ送電する送電路９を備える。直線状に延び、内部に内部空間２０を有する洗浄機管２を備える。
【００１８】
図１及び図２に示すように、洗浄液供給装置５の側を上流側とし、回転ブラシ３の側を下流側とする。回転ブラシ３は、洗浄機管２が延びる方向に対して略平行な方向に回転する。洗浄機管２は、複数の部材からなり、先端部２ａにおいて回転ブラシ３に繋がる。さらに、洗浄機管２は、内部空間２０に送水管７の少なくとも一部と、送電路９の少なくとも一部とを通した状態で伸縮可能である。
【００１９】
洗浄液６は、純水を使用する。水道水等を利用する場合は、濾過器によって濾過することによって純水を作成して使用する。なお、汚れの程度によっては洗剤（中性洗剤）を使用する場合がある。或いは、アルカリイオン電解水(１０．０／ｐｈ以下)を使用する場合もある。洗浄液６は、洗浄対象である太陽光パネルの仕様によって選定する。
【００２０】
次に、洗浄機管２の構成をさらに詳細に説明する。例として洗浄機管２は、第一管２１から第四管２４までの四つの部材からなる。図１及び図７に示すように、第一管２１は最も下流側にある。接続部１７は、第一管２１の下流側先端に相当する洗浄機管２の先端部２ａに固定され、回転ブラシ３に接続する。図２及び図３に示すように、第一管２１から第四管２４に従って、それぞれの外径と内径とが段階的に大きくなる。第二管２２の内周部に第一管２１の外周部が接触して、洗浄機管２が延びる方向に対して互いに摺動可能である。第二管２２と第三管２３との関係も同様であり、第三管２３の内周部を第二管２２の外周部が摺動可能である。第三管２３と第四管２４との関係も同様であり、第四管２４の内周部を第三管２３の外周部が摺動可能である。
【００２１】
洗浄機管２の内部は、空洞である内部空間２０が形成される。洗浄液６を供給する送水管７と、蓄電池８から電動モータ４へ電力を送る送電路９は、いずれも内部空間２０に通される。第一管２１から第四管２４までのそれぞれに内部空間２０が形成される。
【００２２】
洗浄機管２は、送水管７の少なくとも一部と送電路９の少なくとも一部とを内部空間２０に通した状態で伸縮可能である。洗浄機管２のうちで最も内径が小さい第一管２１は、内径寸法が、送水管７と送電路９とを通した状態で第二管２２に対して伸縮可能となるように設定されている。内部空間２０は、第一管２１から第四管２４に従って段階的に内径寸法が大きくなっていくので、第一管２１から第四管２４は、内部空間２０に送水管７と送電路９とを通した状態で、伸縮可能である。
【００２３】
洗浄機管２は、第一管２１から第三管２３までのそれぞれの位置を固定する第一ロックレバー３１、第二ロックレバー３２、及び第三ロックレバー３３を備える。例えば、第一ロックレバー３１を解除すると第一管２１を下流側に引き出して伸ばすことができる。第一ロックレバー３１をロックすると、第一管２１の位置が固定される。第二ロックレバー３２、第三ロックレバー３３の機能も同様である。なお、例として洗浄機管２は、四つの部材からなり、三段階に伸縮可能な例を示したが、複数の部材であればいくつの部材によって構成されてもよい。
【００２４】
図２、及び図３に示すように、回転ブラシ３の上側に、電動モータ４及び回転軸４ａを覆うカバー１９を備える。送電路９は、洗浄機管２の先端部２ａからカバー１９の天面部１９ａに繋がり、カバー１９内部の電動モータ４に接続される。
【００２５】
次に、洗浄液６が噴出される噴出口１３について説明する。図１から図３までに示すように、送水管７は、洗浄機管２の先端部２ａから回転ブラシ３の上面側（ブラシ１５の先端とは反対側）に繋がれる。図４に示すように、送水管７は、回転ブラシ３がパネル面５１に対向するブラシ１５の先端の側に形成される噴出口１３へ洗浄液６を供給する。回転ブラシ３が回転することにより、噴出口１３から噴出する洗浄液６が、ブラシ１５の先端の側の全体に広がる。図４に示す例では、噴出口１３はブラシ１５が形成されていない回転ブラシ３の回転中心付近に三つ形成される。なお、噴出口１３はブラシ１５が形成される部分にあってもよいし、数の限定は無く一つ以上であればよい。
【００２６】
洗浄機管２の材質は、金属、樹脂、その他の材質から選定可能である。洗浄機管２は、最も伸びた状態において、末端部２ｂを持ったとき、先端部２ａ及び回転ブラシ３が一定範囲の撓みによる変形に抑えられる程度の剛性を有する。許容される程度とは、例として内部空間２０に通された送水管７が変形したときに洗浄液６の流れを妨げない程度の変形である。或いは、洗浄機管２の変形が弾性変形の範囲内であり、塑性変形（永久変形）の領域に達しない程度の変形は許容できる。後述するように、太陽光パネル洗浄機１は、パネル面５１を洗浄する際に、回転ブラシ３がパネル面５１の上に載置した状態となる。よって、洗浄機管２は回転ブラシ３の重量を支える必要が無いためである。なお、これら許容できる変形量は、洗浄機管２の長さ、回転ブラシ３と洗浄機管２とを合わせた重量等によって異なる場合がある。
【００２７】
＜第一実施形態の太陽光パネル洗浄機１ａの構成＞
次に、図１から図６までを参照して、本考案に係る第一実施形態の太陽光パネル洗浄機１ａの構成を詳細に説明する。なお、共通の構成で説明した内容と重複する部分は、説明を省略する。
【００２８】
図１を参照して、第一実施形態の太陽光パネル洗浄機１ａに固有の構成である、回転ブラシユニット１０の構成を説明する。太陽光パネル洗浄機１ａは、洗浄機管２が延びる方向と交差する方向に、回転ブラシ３が二つ並んだ回転ブラシユニット１０を形成する。回転ブラシユニット１０における二つの回転ブラシ３は、矢印で示すように、互いに異なる方向であって、かつ、洗浄液６を洗浄機管２に沿って下流側から上流側へ送り出す方向に回転する。なお、回転ブラシユニット１０における二つの回転ブラシ３は、それぞれの回転ブラシ３の回転中心を結んだ線と、洗浄機管２とが直交する配置であることが最も望ましい。
【００２９】
図１に示すように、接続部１７の一端は、第一管２１の下流側先端に相当する洗浄機管２の先端部２ａに固定される。接続部１７の他端は、二つの回転ブラシ３を並んで繋ぐ連結部材１８と、交差する方向に固定される。なお、接続部１７と連結部材１８とは直交する方向に固定されることが好ましい。
【００３０】
＜太陽光パネル洗浄機１による洗浄方法＞
次に、図５及び図６を参照して、太陽光パネル洗浄機１ａを使用して、太陽光パネル５０のパネル面５１を洗浄する方法を説明する。例として、太陽光パネル５０は、複数のパネルが一体になり、傾斜した状態で大地に設置されている。洗浄機管２の上流側は、送水管７を介して洗浄液供給装置５に繋がっている。
【００３１】
洗浄液供給装置５は、例として動力噴霧機を使用する。動力噴霧機は、一般的にタンク、ポンプ、ホース、ホースリール等から構成される。タンクに溜めた洗浄液６をポンプによって送り出す。なお、動力噴霧機に限らず、洗浄液６を送り出す装置であれば他の装置でもよい。
【００３２】
図５に示すように、太陽光パネル５０の上部５０ａから順に洗浄する。このとき、洗浄機管２はパネル面５１の傾斜に沿って伸ばした状態にする。洗浄者は、洗浄機管２を持ち、太陽光パネル５０に対して、回転ブラシ３を左右方向の一方の端から他方の端へ向かって移動させながら洗浄を行う。太陽光パネル５０の上部５０ａの洗浄が済んだら、次に中央部５０ｂを同様に洗浄し、最後に下部５０ｃを洗浄する。図６に示すように、上部５０ａから下部５０ｃに行くに従って、順次洗浄機管２の長さを縮めていく。なお、蓄電池８は、図５及び図６に示すように、身体に携帯することで、機動性を高めてもよい。なお、以上説明した洗浄方法は、第二実施形態の太陽光パネル洗浄機１ｂにおいても同様である。
【００３３】
次に、第一実施形態の太陽光パネル洗浄機１ａに固有の洗浄方法を説明する。図５及び図６に示すように、回転ブラシユニット１０は、それぞれの回転ブラシ３が図示の矢印方向に回転する。この回転方向により、回転ブラシ３によって流動する洗浄液６は、洗浄機管２に沿って下側へ向かって流れる。洗浄に使用して汚れた洗浄液６は、パネル面５１のうちの洗浄した部分に侵入することがない。例えば、太陽光パネル５０の下部５０ｃの下側に回収樋を設置しておけば、洗浄後の洗浄液６を容易に回収することができる。
【００３４】
＜太陽光パネル洗浄機１に共通の効果＞
以上説明した太陽光パネル洗浄機１の構成によれば、以下の課題を解決し、効果を奏する。従来の太陽光パネル洗浄装置は、洗浄できる太陽光パネルの構成に制約があるか、或いは洗浄のための予備的な準備に手間がかかるという課題があった。この課題に対し、本考案の太陽光パネル洗浄機１によれば、洗浄機管２が伸縮可能であり、回転ブラシ３は蓄電池８から供給される電力によって回転できる。よって、洗浄対象とする太陽光パネルの構成或いは種類に限定されない、汎用性を有する太陽光パネル洗浄機１を提供することができる。
【００３５】
洗浄機管２は、内部空間２０に送水管７と送電路９とを通した状態で伸縮可能である。よって、作業者は、洗浄するパネル面５１の位置に応じて回転ブラシ３の位置を変更することができる。その際に、送水管７及び送電路９をいちいち接続し直す必要が無い。
【００３６】
また、洗浄液６は回転ブラシ３のブラシ１５の先端の側に供給されれば、回転ブラシ３は、太陽光パネル５０のパネル面５１に直接洗浄液６を噴出したうえでブラシ洗浄できるので、洗浄効果を高めることができる。
【００３７】
＜太陽光パネル洗浄機１ａに固有の効果＞
次に、第一実施形態の太陽光パネル洗浄機１ａが奏する固有の効果を説明する。図１に示すように、太陽光パネル洗浄機１ａは、洗浄機管２が延びる方向と交差する方向に、回転ブラシ３が二つ並んだ回転ブラシユニット１０を形成する。回転ブラシ３は二つ並んで配置されるので、一度に広範囲のパネル面５１を洗浄することができる。それぞれの回転ブラシ３の回転方向は互いに異なり、かつ洗浄液６を洗浄機管２に沿って上流側に送り出す方向に回転する。この場合、傾斜して設置された太陽光パネル５０のパネル面５１に沿って、洗浄後の洗浄液６を鉛直方向の下側へ流すことができるので処理が容易である。例えば、太陽光パネル５０の下部５０ｃの下側に回収樋を設置しておけば、洗浄後の洗浄液６を容易に回収することができるので、洗浄液６による環境汚染を防止することができる。
【００３８】
＜第二実施形態の太陽光パネル洗浄機１ｂの構成と効果＞
次に、図７を参照して、本考案の態様に係る第二実施形態の太陽光パネル洗浄機１ｂの構成を説明する。太陽光パネル洗浄機１ｂが太陽光パネル洗浄機１ａと異なるのは、回転ブラシ３の構成であり、他の部分は共通である。共通部分の説明は省略する。図７に示すように、回転ブラシ３は単独であり、回転ブラシユニット１０を構成しない。
【００３９】
次に、太陽光パネル洗浄機１ｂが奏する固有の効果を説明する。太陽光パネル洗浄機１ｂは、太陽光パネル洗浄機１ａの回転ブラシユニット１０に比べて、回転ブラシ３が占める面積が小さい。従って、太陽光パネル洗浄機１ｂは、太陽光パネルのパネル面の面積が小さい場合、或いは形状が入り組んでいる場合であっても、細部まで洗浄することができる。また、回転ブラシ３が一つなので、構造がシンプルである。さらに、洗浄液供給装置５の出力は太陽光パネル洗浄機１ａに比べて低出力でよいので、安価な装置を使用することができるという効果を奏する。
【符号の説明】
【００４０】
１、１ａ、１ｂ    太陽光パネル洗浄機
２    洗浄機管
２ａ    先端部
３    回転ブラシ
４    電動モータ
５    洗浄液供給装置
６    洗浄液
７    送水管
８    蓄電池
９    送電路
１０    回転ブラシユニット
１３    噴出口
１５    ブラシ
２０    内部空間
【図１】
0003232615.tif 000003
【図２】
0003232615.tif 000004
【図３】
0003232615.tif 000005
【図４】
0003232615.tif 000006
【図５】
0003232615.tif 000007
【図６】
0003232615.tif 000008
【図７】
0003232615.tif 000009